(57)【要約】      （修正有）【課題】操作ボタン周辺の美観を向上しつつ、化粧パネルを正規形状に安定的に保ちやすいコンロを実現する。【解決手段】ガスコンロ（コンロ）は、筐体部２と前面パネル（フロント部材）と化粧パネル３０とボタン部５０と、を備える。ボタン部５０は、各々の点火ボタン１１，１４（操作ボタン）の一部が化粧パネル３０の外側に露出する露出部として構成されている。化粧パネル３０は、本体部３１と、本体部３１の下縁部３１Ｂから下方に延びる第１延出部４１と第２延出部４２と、左右方向に沿って延び、第１延出部４１及び第２延出部４２にそれぞれ連結される連結部４６と、を備える。本体部３１、第１延出部４１、第２延出部４２、及び連結部４６が一体的に連結された形態で、貫通孔４０Ａを有する枠部４０が構成される。ボタン部５０が貫通孔４０Ａに嵌り込み、枠部４０がボタン部５０の周囲に隣接する意匠部を構成する。【選択図】図４
2020070992.tif 000002
【特許請求の範囲】
【請求項１】
複数のガスバーナと、
複数の前記ガスバーナを収容する筐体部と、
前記筐体部の前部に固定されるフロント部材と、
前記フロント部材の前側に装着され、前記フロント部材の前面を覆う化粧パネルと、
複数の前記ガスバーナの各々の点火操作又は消火操作に用いられる複数の操作ボタンからなるボタン部と、
を備え、
前記ボタン部は、複数の前記操作ボタンが左右に並んだ構成で前記フロント部材に取り付けられるとともに、各々の前記操作ボタンの一部が前記化粧パネルの外側に露出する露出部として構成されており、
前記化粧パネルは、
前記フロント部材の前記前面のうちの前記ボタン部の上側に位置する部分を覆う本体部と、
前記本体部の下縁部から下方に延びる第１延出部と、
前記本体部の下縁部から下方に延び、前記第１延出部に対して左右方向に離間して配置される第２延出部と、
左右方向に沿って延び、前記第１延出部及び前記第２延出部にそれぞれ連結される連結部と、
を備え、
前記本体部、前記第１延出部、前記第２延出部、及び前記連結部が一体的に連結された形態で、貫通孔を有する枠部が構成され、
前記ボタン部が前記貫通孔に嵌り込み、前記枠部が前記ボタン部の周囲に隣接する意匠部を構成する
コンロ。
【請求項２】
前記操作ボタンは、左右方向に沿った揺動軸を中心として揺動するように前記フロント部材に取り付けられるとともに、前記揺動軸よりも下方側に外部からの押圧操作を受ける被押圧部が設けられ、
前記被押圧部は、前記枠部に隣接する第１位置と、前記第１位置よりも後方の第２位置とに変位する構成をなしており、
前記連結部は、前記被押圧部が前記第１位置にあるときに自身の上面が当該被押圧部に対向するように配される対向部を有し、
前記対向部の前記上面は、後方となるにつれて下位置となるように傾斜している
請求項１に記載のコンロ。
【請求項３】
前記第１延出部と前記第２延出部のうち少なくとも一方は、前記フロント部材の前記前面より左右方向に張り出している
請求項１又は請求項２に記載のコンロ。
【請求項４】
前記ボタン部は、左右方向に沿って延びるとともに前方に突出する形状をなす第１突出部を有し、
前記第１延出部及び前記第２延出部は、前記第１突出部の左側又は右側に連なるとともに前方に突出する形状をなす第２突出部を有する
請求項１から請求項３のいずれか一項に記載のコンロ。
【請求項５】
前記本体部には、前記貫通孔寄りの位置に前記フロント部材に係止される係止部が設けられている請求項１から請求項４のいずれか１項に記載のコンロ。
【請求項６】
前記連結部には、前記フロント部材に係止される係止部が設けられている請求項１から請求項５のいずれか１項に記載のコンロ。
【発明の詳細な説明】
【技術分野】
【０００１】
本発明は、コンロに関するものである。
【背景技術】
【０００２】
従来、コンロ本体の前面に前方に突出して左右方向に延びる形の意匠を施したコンロが知られている。例えば、特許文献１に開示されるコンロでは、コンロ本体２を側面から見た場合に、意匠パネル７の第１パネル３０の膨出部３３の面と、点火スイッチ７１，７２の面と、取っ手５Ａの面と、意匠パネル８の第１パネル５０の膨出部５３の面と、点火スイッチ８１，８２の面とが互いに同一の位置に揃っているので、ビルトインコンロ１の前面の美観をさらに向上できる、と記載されている。
【先行技術文献】
【特許文献】
【０００３】
【特許文献１】特開２０１１−５２８３９号公報
【発明の概要】
【発明が解決しようとする課題】
【０００４】
特許文献１で開示されるコンロでは、スイッチ取付部材１１の前側部分には、左側に膨出部１７が設けられ、右側に膨出部１９が設けられ、中央に膨出部１８が設けられている。そして、膨出部１７と膨出部１８との間には点火スイッチ７１が押下可能に支持され、膨出部１８と膨出部１９との間には点火スイッチ７２が押下可能に支持されている。スイッチ取付部材１１の前側に第１パネル３０が装着された状態では、膨出部１９の外側面側に第１パネル３０の膨出部３３が配される構成となっている。
【０００５】
しかしながら、このような構成では、コンロの前面にスイッチ取付部材１１の膨出部１７，１８，１９と第１パネル３０の膨出部３３が並んで配されることとなり、スイッチ取付部材１１の３つの膨出部と第１パネル３０の膨出部がそれぞれライン状に視認され得る。さらに、スイッチ取付部材１１の膨出部１９と第１パネル３０の膨出部３３の境界線が上下方向に沿って延びるライン状に視認され得る。コンロの外観において、このようなライン状に視認され得る部位が広い領域を占めると、やや煩雑な印象を与える場合があり、コンロの美観、特に操作ボタンとしての点火スイッチ周辺の美観という観点において改善の余地があった。
【０００６】
さらに、第１パネル３０は、長方形状の本体部３１から膨出部３３が片持ち状に延出する構成上、本体部３１から延出した部分が撓み変形しやすく、経年変化やコンロ内で発生する熱の影響等により当該部分に歪み等が生じやすい。ゆえに、第１パネル３０が正規形状のまま安定的に保たれない虞がある。
【０００７】
本発明は上述した課題の少なくとも一つを解決するためになされたものであり、操作ボタン周辺の美観を向上しつつ、化粧パネルを正規形状に安定的に保ちやすいコンロを実現することを目的とする。
【課題を解決するための手段】
【０００８】
本発明の一態様のコンロは、
複数のガスバーナと、
複数の前記ガスバーナを収容する筐体部と、
前記筐体部の前部に固定されるフロント部材と、
前記フロント部材の前側に装着され、前記フロント部材の前面を覆う化粧パネルと、
複数の前記ガスバーナの各々の点火操作又は消火操作に用いられる複数の操作ボタンからなるボタン部と、
を備え、
前記ボタン部は、複数の前記操作ボタンが左右に並んだ構成で前記フロント部材に取り付けられるとともに、各々の前記操作ボタンの一部が前記化粧パネルの外側に露出する露出部として構成されており、
前記化粧パネルは、
前記フロント部材の前記前面のうちの前記ボタン部の上側に位置する部分を覆う本体部と、
前記本体部の下縁部から下方に延びる第１延出部と、
前記本体部の下縁部から下方に延び、前記第１延出部に対して左右方向に離間して配置される第２延出部と、
左右方向に沿って延び、前記第１延出部及び前記第２延出部にそれぞれ連結される連結部と、
を備え、
前記本体部、前記第１延出部、前記第２延出部、及び前記連結部が一体的に連結された形態で、貫通孔を有する枠部が構成され、
前記ボタン部が前記貫通孔に嵌り込み、前記枠部が前記ボタン部の周囲に隣接する意匠部を構成する。
【発明の効果】
【０００９】
上記一態様のコンロでは、ボタン部の周囲に隣接する意匠部が化粧パネルによって構成されるから、意匠部をすっきりとしたデザインとすることができ、コンロの美観（特に、操作ボタン周辺の美観）を向上することができる。しかも、操作ボタン周辺の意匠部は、単なる細長の延出部ではなく枠部によって構成されるため、化粧パネルの強度（特に操作ボタンの周辺の強度）が確実に高められる。ゆえに、化粧パネルにおける操作ボタンの周辺の部位が経年変化やコンロ内で発生する熱の影響等によって変形することを、より確実に抑えることができる。
【図面の簡単な説明】
【００１０】
【図１】図１は、実施例１のガスコンロを概略的に示す正面図である。
【図２】図２は、実施例１のガスコンロを概略的に示す分解斜視図である。
【図３】図３は、化粧パネルを取り外して、ガスコンロの前部に固定された前面パネルを示す正面図である。
【図４】図４は、図３の前面パネルの前側に化粧パネルが装着された状態を示す正面図である。
【図５】図５は、前面パネルを斜め前側から見た斜視図である。
【図６】図６は、前面パネルを斜め後側から見た斜視図である。
【図７】図７は、前面パネルの左側面図である。
【図８】図８は、化粧パネルを斜め前側から見た斜視図である。
【図９】図９は、化粧パネルを斜め後側から見た斜視図である。
【図１０】図１０は、図１のＡ−Ａ位置で切断して、点火ボタン及び枠部を示す断面図である。
【発明を実施するための形態】
【００１１】
ここで、本発明の望ましい一例を示す。
操作ボタンは、左右方向に沿った揺動軸を中心として揺動するようにフロント部材に取り付けられるとともに、揺動軸よりも下方側に外部からの押圧操作を受ける被押圧部が設けられていてもよい。被押圧部は、枠部に隣接する第１位置と、第１位置よりも後方の第２位置とに変位する構成をなしていてもよい。連結部は、被押圧部が第１位置にあるときに自身の上面が当該被押圧部に対向するように配される対向部を有し、対向部の上面は、後方となるにつれて下位置となるように傾斜していてもよい。この構成によれば、被押圧部の前面側の部位と連結部の前面側の部位との隙間を小さくしても、被押圧部が第１位置と第２位置とに変位する際に対向部の上面と干渉しにくくなる。従って、操作ボタン周辺を前方側から見たときに被押圧部と連結部との間の隙間が大きく見えすぎることに起因する美観の低下を抑制しながらも、被押圧部の操作性を良好に維持しやすくなる。
【００１２】
第１延出部と第２延出部のうち少なくとも一方は、フロント部材の前面より左右方向に張り出していてもよい。このようにすれば、フロント部材の側方領域を第１延出部と第２延出部のうち少なくとも一方によって隠すことができ、この側方領域に空隙や視認が望まれない部分等が配置される場合に、目立ちにくくすることができる。このように、第１延出部又は第２延出部においてフロント部材の前面より左右方向に張り出した部分を設けた場合、当該部分はフロント部材によって後方から支持されないため、何らかの力が加わった場合に後方側に撓むことが懸念されるが、上記態様では、操作ボタン周辺の意匠部が枠部によって構成されるため、後方側への撓みを抑制しやすい。しかも、フロント部材の前面より左右方向に張り出すように第１延出部又は第２延出部を構成した場合、左右方向に張り出さない構成と比較して延出部の幅を大きく確保することができる。そして、このように延出部の幅が大きく確保され、この延出部を含んだ形で枠部が構成されるため、化粧パネルの強度が一層高まる。
【００１３】
ボタン部は、左右方向に沿って延びるとともに前方に突出する形状をなす第１突出部を有していてもよい。第１延出部及び第２延出部は、第１突出部の左側又は右側に連なるとともに前方に突出する形状をなす第２突出部を有していてもよい。この構成によれば、第１突出部と第２突出部とによりコンロの左右方向に延びる突条のデザインを構成することができ、デザイン性の高いコンロとなる。そのうえで、ボタン部の周囲に隣接する意匠部が化粧パネルの枠部によって構成されるから、このような突条のデザインを縦に横切るライン状に視認される部位の本数が低減され、より一層、コンロの美観を向上することができる。
【００１４】
本体部には、貫通孔寄りの位置にフロント部材に係止される係止部が設けられていてもよい。この構成によれば、係止部が前面パネルに係止されることにより、経年変化やコンロ内で発生する熱の影響等によって、化粧パネルの中央部付近が前方に膨出するようにして変形することを抑えることができる。
【００１５】
連結部には、フロント部材に係止される係止部が設けられていてもよい。この構成によれば、係止部が前面パネルに係止されることにより、経年変化やコンロ内で発生する熱の影響等によって、連結部が変形することを抑えることができる。さらに、連結部が撓みにくくなり、化粧パネルの強度（特に操作ボタンの周辺の強度）が確実に高められる。
【００１６】
＜実施例１＞
以下、実施例１について、図面を参照して説明する。
図１、図２のように、ガスコンロ１（コンロ）は、ガスバーナ４，５，６、ガスバーナ４，５，６を収容するコンロ本体部１Ａなどを有しており、図示しないキャビネットに組み込まれるビルトインコンロとして構成されている。
【００１７】
以下の説明では、ガスコンロ１において、板状に構成された天板３の板面方向のうち、短手方向を前後方向とし、前後方向と直交する方向である天板３の長手方向を左右方向とする。更に、前後方向及び左右方向と直交する方向である天板３の板厚方向を上下方向として説明する。図１では、左右方向がガスコンロ１の左右方向であり、上下方向がガスコンロ１の上下方向である。また、図２において、左斜め下方、右斜め上方、右斜め下方、左斜め上方を、それぞれ、ガスコンロ１の前方、後方、右方、左方とする。
【００１８】
ガスコンロ１は、システムキッチンのカウンタトップに設けられた開口に落とし込まれて設置されている。図２のように、ガスコンロ１はコンロ本体部１Ａによって外殻（ケース体）が構成されており、このコンロ本体部１Ａの内部にガスバーナなどの各種部品が収容された構成をなす。コンロ本体部１Ａは、箱状の筐体部２と、筐体部２の上端部に固定される天板３と、筐体部２の前部に固定される前面パネル２０（フロント部材）と、前面パネル２０の前側に装着される化粧パネル３０と、を備える。
【００１９】
筐体部２は、公知の金属材料を主体として上方側が開放した箱状に構成されている。左右に一対の側壁部（図２では、一方の側壁部２Ｃのみを図示）を備えるとともに、これら側壁部の後端部に連結される形で後壁部（図示略）が設けられる。また、筐体部２の前面部（図示略）はフレーム状又は壁状に構成されており、これら前面部、側壁部、後壁部によって筐体部２の内部空間の前後左右を囲む構成をなし、これら前面部、側壁部、後壁部の下部には底壁部（図示略）が連結されている。筐体部２は、これらの壁部によって上部が開口した箱状形態をなしており、筐体部２の上端部には、天板３（トッププレート）が取り付けられている。
【００２０】
図１、図２のように、天板３は、板状に構成されると共にガスバーナを露出させるための開口部（貫通孔）が複数個形成された構成をなす。天板３は、カウンタトップの上側に配置される。前面パネル２０は、コンロ本体部１Ａの前面部を構成する板状の壁部であり、例えば、金属材料又は樹脂材料を主体として構成されている。本構成では、前面パネル２０は、筐体部２とは別部材として構成され、筐体部２の前端部を覆うように筐体部２に対して固定されているが、前面パネル２０と筐体部２とが一体的に構成されていてもよい。
【００２１】
図２のように、天板３において右手前（右端寄りかつ前端寄りの位置）にはガスバーナ（右バーナ）４、左手前（左端寄りかつ前端寄りの位置）にはガスバーナ（左バーナ）５、中央奥側にはガスバーナ（奥バーナ）６が夫々設けられている。各ガスバーナ４〜６のそれぞれには、点火する為のイグナイタ（図示略）が設けられている。
【００２２】
筐体部２の中央付近には、グリル部８が設けられている。グリル部８は、箱状に構成されたグリル庫、グリル庫を開閉するグリル扉８Ｂ、ガスバーナとして構成されるとともにグリル庫内に配置されるグリルバーナ（図示略）、グリル扉８Ｂの後方側においてグリル扉８Ｂと一体的に設けられる受け皿、受け皿の上に載置される焼き網などを備える。天板３において後端寄りの位置には、グリル庫と連通するグリル排気口９が設けられている。
【００２３】
図１のように、筐体部２の前面の右寄りには２つの点火ボタン１１、１４が、左寄りにはもう２つの点火ボタン１２、１３が設けられている。点火ボタン１１は、ガスバーナ４の点火及び消火を操作するために対応付けられた操作ボタンであり、点火ボタン１２は、ガスバーナ５の点火及び消火を操作するために対応付けられた操作ボタンであり、点火ボタン１３は、ガスバーナ６の点火及び消火を操作するために対応付けられた操作ボタンである。点火ボタン１４は、グリル部８のガスバーナ（グリルバーナ）の点火及び消火を操作するための操作ボタンである。各点火ボタン１１〜１４は、前面パネル２０の前面よりも前方へ突出して設けられ、筐体部２の内部に設けられた図示しない制御回路と接続されており、使用者が押し込み操作すると、制御回路による制御により、その操作されたボタンに対応するガスバーナの点火又は消火が行われるようになっている。
【００２４】
レバー１６Ａ，１６Ｂ，１６Ｃ，１６Ｄはそれぞれ、対応するガスバーナ４〜６又はグリル部８のグリルバーナにおける火力を調整するための火力調整レバーである。点火ボタン１２，１３の下側には、ガスコンロ１に電力を供給するための電池を収容する電池ボックス１８が設けられている。点火ボタン１１，１４の下側には、各コンロによる調理の加熱温度、加熱時間等を設定するための操作パネルを前後方向に出退可能に保持する操作ユニット１９が設けられている。
【００２５】
次に、ガスコンロ１の右側に配置された前面パネル２０、複数の点火ボタン１１，１４からなるボタン部５０、前面パネル２０の前面２０Ａを覆う化粧パネル３０に係る構成について説明する。なお、ガスコンロ１の左側に配置された前面パネル、複数の点火ボタン１２，１３からなるボタン部、当該前面パネルの前面を覆う化粧パネルは、概ね前面パネル２０、ボタン部５０、化粧パネル３０と左右対称の構成とされており、その説明を省略する。
【００２６】
図３に示すように、前面パネル２０は、前面２０Ａが正面視矩形状をなし、筐体部２の前部におけるグリル部８の右側の領域を塞ぐようにして配置されている。前面パネル２０は、前面側に開口して、外側に点火ボタン１１を露出するための開口部２１と、外側に点火ボタン１４を露出するための開口部２２と、を有している。また、前面パネル２０は、開口部２１と開口部２２の間に形成された第３突出部２３を有している。この第３突出部２３は、後述するボタン部５０の第１突出部５１，５１に連なるとともに前方に突出する形状をなす（図５参照）。また、前面パネル２０には、後面側に点火ボタン１１，１４を軸支するための軸支孔２５が設けられている（図６参照）。
【００２７】
図６に示すように、点火ボタン１１，１４は、左右方向に沿った揺動軸６１を中心として揺動するように前面パネル２０に取り付けられるとともに、揺動軸６１よりも下方側に外部からの押圧操作を受ける被押圧部５３が設けられている。具体的には、点火ボタン１１，１４は、前面パネル２０の後面側に取り付けられる取付部６０と、取付部６０の下側に設けられ化粧パネル３０から外側に露出する被押圧部５３と、を具備している。取付部６０には、軸支孔２５に軸支される一対の揺動軸６１が左右に突出する形で設けられている。揺動軸６１は、軸心６１Ａが左右方向となっている。軸心６１Ａは、揺動軸６１の揺動（回動）の中心となる仮想的な中心軸線である。点火ボタン１１は、被押圧部５３が押し込み操作されることにより、前面パネル２０に対して揺動軸６１周りに前後に揺動する構成となっており、揺動時には軸心６１Ａ（中心軸線）を中心として揺動（回動）する。
【００２８】
図１０に示すように、点火ボタン１１の被押圧部５３は、後述する枠部４０に隣接する第１位置と、第１位置よりも後方の第２位置とに変位する構成をなしている。図１０においては、第１位置の被押圧部５３を実線で描き、第２位置の被押圧部５３の外形を２点鎖線で描いている。被押圧部５３の第１位置は、ガスバーナ４が消火された状態となる位置である。被押圧部５３が後方に向けて押し込まれ第１位置から第２位置に変位すると、燃料供給装置８０の点火スイッチ８１が後方に後退してガス流路が開放され、ガスバーナ４が点火される。つまり、被押圧部５３の第２位置は、ガスバーナ４が点火された状態となる位置である。点火スイッチ８１は、前方に付勢され、プッシュプッシュ機構（図示略）により前進及び後退する構成となっている。被押圧部５３は、押圧操作により、交互に第１位置と第２位置との間で揺動するように構成されている。なお、点火ボタン１４の被押圧部５３は、点火ボタン１１の被押圧部５３と同様に変位する構成とされており、その説明を省略する。
【００２９】
図４に示すように、ボタン部５０は、複数の点火ボタン１１，１４が左右に並んだ構成で前面パネル２０に取り付けられるとともに、各々の点火ボタン１１，１４の一部が化粧パネル３０の外側に露出する露出部として構成されている。ボタン部５０は、点火ボタン１１の下部に設けられた被押圧部５３と、点火ボタン１４の下部に設けられた被押圧部５３からなる群である。ボタン部５０は、正面視矩形状の被押圧部５３，５３が左右に並んで、全体として左右に長い長方形状の外形となっている。ボタン部５０は、前面パネル２０の開口部２１，２２に嵌め込まれ、化粧パネル３０の後述する貫通孔４０Ａを介して外側に露出される。ボタン部５０は、左右方向に沿って延びるとともに前方に突出する形状をなす第１突出部５１，５１を有する。第１突出部５１，５１は、点火ボタン１１，１４の被押圧部５３，５３を押圧操作する際に、それぞれ手指を掛ける部分となる。
【００３０】
図４に示すように、化粧パネル３０は、前面パネル２０の前面２０Ａのうちのボタン部５０の上側に位置する部分を覆う本体部３１と、本体部３１の下縁部３１Ｂから下方に延びる第１延出部４１と、本体部３１の下縁部３１Ｂから下方に延び、第１延出部４１に対して左右方向に離間して配置される第２延出部４２と、左右方向に沿って延び、第１延出部４１及び第２延出部４２にそれぞれ連結される連結部４６と、を備える。本実施例１では、化粧パネル３０は、大部分が樹脂成形品からなり、樹脂成形品における本体部３１を構成する部分の前面が薄板状の第１被覆部材によって被覆されている。
【００３１】
図８に示すように、本体部３１は、正面視にて略矩形状をなす板状部を主体として構成されている。板状部は、前面パネル２０の前面２０Ａにおいてボタン部５０の上側の領域を全域にわたって覆うとともに、さらに前面２０Ａの右側の空間を覆う構成となっている。以下、本体部３１において、前面パネル２０の前面２０Ａより右側に張り出す部分を第１張出部３５と称する。本体部３１には、板状部の上端から後方に向けて立ち上がる上壁部と、板状部の右端から後方に向けて立ち上がる外壁部が設けられている。また、本体部３１には、後面側にリブ３２，３６、係止部３８Ａ，３８Ｂ、中央側突出部３８Ｃ等が設けられている。リブ３２，３６、係止部３８Ａ，３８Ｂ、中央側突出部３８Ｃに係る構成については後に説明する。
【００３２】
図４に示すように、第１延出部４１及び第２延出部４２は、本体部３１の下縁部３１Ｂにおける両側端部からそれぞれ下方に延出する構成となっている。本実施例１では、下縁部３１Ｂにおいて相対的にガスコンロ１の左右方向内側（グリル部８側）に位置する内側端部から延出するものを第１延出部４１とし、相対的にガスコンロ１の左右方向外側（グリル部８とは反対側）に位置する外側端部から延出するものを第２延出部４２としている。第１延出部４１は、正面視にて上下方向に長い長方形状をなし、前面パネル２０の前面２０Ａにおいてボタン部５０の左側の領域を全域にわたって覆う構成となっている。第２延出部４２は、正面視にて上下方向に長い長方形状をなし、前面パネル２０の前面２０Ａにおいてボタン部５０の右側の領域を全域にわたって覆うとともに、さらにその右側の空間を覆う構成となっている。
【００３３】
図４に示すように、第１延出部４１及び第２延出部４２は、第１突出部５１の左側又は右側に連なるとともに前方に突出する形状をなす第２突出部４１Ａ，４２Ａを有する。第２突出部４１Ａ，４２Ａは、左右方向において、それぞれ第１延出部４１及び第２延出部４２の全長に亘って延びる突条をなす。この第２突出部４１Ａ，４２Ａは、ボタン部５０の第１突出部５１、５１、第３突出部２３、グリル部８の取っ手８Ｃ等とともに、ガスコンロ１前面において左右方向に延びる突条のデザインの一部を構成する。
【００３４】
図４に示すように、第１延出部４１と第２延出部４２のうち少なくとも一方は、前面パネル２０の前面２０Ａより左右方向に張り出している。本実施例１では、本体部３１の外側端部から延出する第２延出部４２が、前面パネル２０の前面２０Ａより右側に張り出す第２張出部４３を有している。なお、第１延出部４１の左側にはグリル部８が隣接して配されており、第１延出部４１は前面パネル２０の前面２０Ａより左側に張り出さない構成となっている。第２張出部４３は、本体部３１の第１張出部３５の下側に連なる。また、第２延出部４２には、第２張出部４３の下側に連なり、前面パネル２０の前面２０Ａより右側に張り出す第３張出部４５がさらに設けられている（図７参照）。これら張出部３５，４３，４５は、筐体部２の右側の空間を前方から覆い、当該空間が外部から視認されないようにする目隠し部を構成する。なお、第３張出部４５と操作ユニット１９の前面は、第２被覆部材３９（図２参照）によって一括して被覆される。
【００３５】
図７及び図８に示すように、連結部４６は、第１延出部４１の下端から右側に向かって延び、第２延出部４２に連結する構成となっている。連結部４６は、前面パネル２０の前面２０Ａにおいて、ボタン部５０の下側の領域のうち操作ユニット１９の上側部分を覆う構成となっている。連結部４６は、被押圧部５３が第１位置にあるときに自身の上面４７Ａが当該被押圧部５３に対向するように配される対向部４７を有している。本実施例１では、対向部４７は、後方に張り出す庇状をなし、開口部２１，２２の内周面を上方から覆う構成となっている。このような構成により、被押圧部５３が第２位置に変位した状態において、外部からの視線を対向部４７によって遮ることができ、開口部２１，２２の内周面や前面パネル２０の後側が外部から見えにくくなっている。
【００３６】
図９に示すように、対向部４７の上面４７Ａは、後方となるにつれて下位置となるように傾斜している。上面４７Ａの前端は、被押圧部５３の第１位置において、被押圧部５３の下端部５３Ｂにわずかな隙間を有して隣接する。上面４７Ａの後端は、被押圧部５３の第２位置において、被押圧部５３の下端部５３Ｂにわずかな隙間を有して隣接する。そして、上面４７Ａは、軸心６１Ａを中心とした被押圧部５３の下端部５３Ｂの揺動軌跡に沿った形状となっている。
【００３７】
化粧パネル３０は、本体部３１、第１延出部４１、第２延出部４２、及び連結部４６が一体的に連結された形態で、貫通孔４０Ａを有する枠部４０が構成されている。貫通孔４０Ａは、本体部３１の下縁部３１Ｂと、第１延出部４１の右縁部と、第２延出部４２の左縁部と、連結部４６の上縁部によって、ボタン部５０の外形と同等の大きさか、ボタン部５０の外形より一回り大きい長方形状に形成されている。枠部４０は、ボタン部５０、つまり、点火ボタン１１の被押圧部５３及び点火ボタン１４の被押圧部５３の周囲を一括して囲むようにして設けられている。
【００３８】
図４に示すように、化粧パネル３０が前面パネル２０に装着された状態では、ボタン部５０が貫通孔４０Ａに嵌り込み、枠部４０がボタン部５０の周囲に隣接する意匠部を構成する。なお、枠部４０がボタン部５０の周囲に隣接するとは、枠部４０がボタン部５０の周囲に接触して配置される構成であってもよく、枠部４０がボタン部５０の周囲にわずかな隙間を有して配置される構成であってもよい。意匠部はガスコンロ１の外観を構成する部分である。ボタン部５０が貫通孔４０Ａに嵌り込んだ状態では、ガスコンロ１の外観には、右から順に、化粧パネル３０の第２延出部４２、点火ボタン１１の被押圧部５３、前面パネル２０の第３突出部２３、点火ボタン１４の被押圧部５３、化粧パネル３０の第１延出部４１が表れる。また、ガスコンロ１の外観において、ボタン部５０の上側及び下側には、それぞれ化粧パネル３０の本体部３１と連結部４６が表れる。このようにして、ボタン部５０の周囲が、本体部３１の下縁部３１Ｂ、第１延出部４１の右縁部、連結部４６の上縁部、第２延出部４２の左縁部によって縁取られた構成が実現される。
【００３９】
次に、化粧パネル３０を前面パネル２０に対して装着するための各部の構成について説明する。図５及び図９に示すように、化粧パネル３０は係止部３８Ａ，３８Ｂと中央側突出部３８Ｃとを有し、前面パネル２０は第１被係止部２９Ａ，２９Ｂと孔部２９Ｃとを有している。そして、化粧パネル３０は、中央側突出部３８Ｃ及び孔部２９Ｃによって前面パネル２０に対する上下左右の位置が定められ、係止部３８Ａ，３８Ｂ及び第１被係止部２９Ａ，２９Ｂによって前面パネル２０に対して保持される構成となっている。また、化粧パネル３０は前面パネル２０の左右の面２０Ｄ，２０Ｃと接触するリブ３２，３６と凸部３３Ａ〜Ｃ，３７Ａ〜Ｃとを有し、前面パネル２０は凸部３３Ａ〜Ｃ，３７Ａ〜Ｃが嵌り込む切り欠き部２７Ａ〜Ｃ，２８Ａ〜Ｃを有している。さらに、化粧パネル３０には、前面パネル２０に係止されるロック部材９０が取り付けられている。そして、各部が組み付けられることにより、化粧パネル３０が前面パネル２０に装着された装着状態となる。
【００４０】
図９に示すように、本体部３１には、貫通孔４０Ａ寄りの位置に係止部３８Ａが設けられている。また、連結部４６には、係止部３８Ｂが設けられいている。本実施例１では、係止部３８Ａは貫通孔４０Ａの上方に貫通孔４０Ａと近接して左右に並んで２つ設けられ、係止部３８Ｂは貫通孔４０Ａの下方に貫通孔４０Ａと近接して左右に並んで２つ設けられている。各係止部３８Ａ，３８Ｂは、化粧パネル３０の後面側において後方に延びるとともに、先端側に折れ曲がり部が形成されてなり、全体として係止爪として構成されている。
【００４１】
右側リブ３２は、本体部３１から後方に向けて突出するとともに、前面パネル２０の右側面２０Ｄに沿って上下方向に沿って延びる形で設けられている。右側リブ３２は、左側（左右方向内側）の板面が前面パネル２０の右側面２０Ｄに接触するような構成となっている。右側リブ３２には、左面側から左方に突出する構成をなす第１凸部３３Ａ，第２凸部３３Ｂ，第３凸部３３Ｃが設けられている。第１凸部３３Ａ及び第２凸部３３Ｂは、右側リブ３２の後端部に設けられた突起状をなす。第３凸部３３Ｃは、右側リブ３２の基端部から先端部に向かって延びる突条をなす。
【００４２】
左側リブ３６は、本体部３１から後方に向けて突出するとともに、前面パネル２０の後述する左側面２０Ｃに沿って上下方向に沿って延びる形で設けられている。左側リブ３６は、右側（左右方向外側）の板面が前面パネル２０の左側面２０Ｃに接触するような構成となっている。左側リブ３６には、右面側から右方に突出する構成をなす第１凸部３７Ａ，第２凸部３７Ｂ，第３凸部３７Ｃが設けられている。第１凸部３７Ａ、第２凸部３７Ｂ、第３凸部３７Ｃの構成は、右側リブ３２の第１凸部３３Ａ、第２凸部３３Ｂ、第３凸部３３Ｃの構成と同様であり、その説明を省略する。
【００４３】
図９に示すように、ロック部材９０は、上壁部に設けられた貫通孔（図示略）を貫通する形で化粧パネル３０に取り付けられている。ロック部材９０は、上壁部の上部に露出してスライド操作される操作部９１と、操作部９１の下面からそれぞれ上壁部の下方に突出するブロック状のロック部９２，９２と、を備えている。ロック部材９０は、化粧パネル３０に対して左右にスライドされることにより、前面パネル２０にロックされる第１位置と、前面パネル２０とのロックが解除される第２位置とに変位する構成となっている。
【００４４】
図５に示すように、第１被係止部２９Ａ，２９Ｂは、係止部３８Ａ，３８Ｂの各々に対応して、ボタン部５０の周囲に設けられている。第１被係止部２９Ａ，２９Ｂは、前面パネル２０の前面２０Ａ側において開口した構成をなし、装着状態のときに係止部３８Ａ，３８ＢＡが挿入される開口部と、装着状態のときに係止部３８Ａ，３８ＢＡと接触する係止面と、を具備する。
【００４５】
右側面２０Ｄには、第１凸部３２Ａ，第２凸部３２Ｂ，第３凸部３２Ｃがそれぞれ係止される第１切り欠き部２７Ａ、第２切り欠き部２７Ｂ、第３切り欠き部２７Ｃが設けられている。第１切り欠き部２７Ａ及び第２切り欠き部２７Ｂは、右側面２０Ｄを後側が開いたＵ字状に切り欠くような形で設けられている。第３切り欠き部２７Ｃは、右側面２０Ｄと前面２０Ａの右端部を正面視にして右側が開いたＵ字状に切り欠くような形で設けられている。
【００４６】
左側面２０Ｃは、左側を向く面であって、前面パネル２０の前面２０Ａにおける左端部付近が後方に後退した段差構造によって形成されている（図７参照）。左側面２０Ｃには、第１凸部３７Ａ，第２凸部３７Ｂ，第３凸部３７Ｃがそれぞれ係止される第１切り欠き部２８Ａ、第２切り欠き部２８Ｂ、第３切り欠き部２８Ｃが設けられている。第１切り欠き部２８Ａ、第２切り欠き部２８Ｂ、第３切り欠き部２８Ｃは、右側面２０Ｄの第１切り欠き部２７Ａ、第２切り欠き部２７Ｂ、第３切り欠き部２７Ｃと概ね左右対称に構成されており、その説明を省略する。
【００４７】
前面パネル２０の上部には、ロック部材９０が係止される第２被係止部９５が設けられている。第２被係止部９５は、第１位置におけるロック部９２，９２の前面と対向する前壁部９６，９６と、前壁部９６，９６の後方においてロック部９２，９２を収容する収容空間９７，９７とを有して構成されている。収容空間９７，９７は、第１位置と第２位置との変位を許容しつつロック部９２，９２を収容し得る大きさとなっている。前壁部９６，９６は、第２位置におけるロック部９２，９２の前面と対向する位置には設けられていない。このため、ロック部材９０の第２位置において、ロック部９２，９２を前方から収容空間９７，９７に嵌め込み、また、ロック部９２，９２を収容空間９７，９７から前方に取り外すことができるようになっている。
【００４８】
化粧パネル３０を前面パネル２０の前側に装着する際には、中央側突出部３８Ｃが孔部２９Ｃに挿入されるに伴い、係止部３８Ａ，３８Ｂは第１被係止部２９Ａ，２９Ｂに係止される位置に向けて案内される。具体的には、中央側突出部３８Ｃの孔部２９Ｃへの挿入が開始されると、４つの係止部３８Ａ，３８Ｂの各々は上下左右方向において４つの第１被係止部２９Ａ，２９Ｂの位置と整合する位置まで案内される。中央側突出部３８Ｃがさらに孔部２９Ｃへ挿入される過程で、係止部３８Ａ，３８Ｂは弾性変形を伴って第１被係止部２９Ａ，２９Ｂの開口部に挿入される。そして、中央側突出部３８Ｃの孔部２９Ｃへの挿入が完了した状態では、係止部３８Ａ，３８Ｂは折れ曲がり部が第１被係止部２９Ａ，２９Ｂの係止面の後方まで至り、弾性復帰する。そして、係止部３８Ａ，３８Ｂの折れ曲がり部が、第１被係止部２９Ａ，２９Ｂの係止面に引っ掛かり、化粧パネル３０が前面パネル２０に係止された状態となる。
【００４９】
上述の係止部３８Ａ，３８Ｂを撓みやすくして第１被係止部２９Ａ，２９Ｂとの掛かり代を十分に確保するために、係止部３８Ａ，３８Ｂの突出量を大きくして、第１被係止部２９Ａ，２９Ｂの開口部の奥方において係止面に引っ掛かる構成とすることが考えられる。しかし、係止部３８Ａ，３８Ｂは、突出量が大きい程折れやすくなり、化粧パネル３０を前面パネル２０に組み付ける際に前面パネル２０の前面２０Ａに当たると折れることが懸念される。このため、係止部３８Ａ，３８Ｂを第１被係止部２９Ａ，２９Ｂの位置に精度よく案内することが望まれる。その点、本実施例１では、中央側突出部３８Ｃが孔部２９Ｃに挿入されることに伴い係止部３８Ａ，３８Ｂが第１被係止部２９Ａ，２９Ｂの位置まで案内されるから、係止部３８Ａ，３８Ｂの突出量を十分に確保した場合であっても、係止部３８Ａ，３８Ｂが前面パネル２０の前面２０Ａに当たりにくくなっており、化粧パネル３０の組み付け性に優れる。
【００５０】
化粧パネル３０は、経年変化等により中央部付近が膨出しやすく、そのような膨出を抑えるために中央部付近に係止部を設けることが望ましい。本実施例１では、４つの係止部３８Ａ，３８Ｂのうち上方に位置する２つの係止部３８Ａは、化粧パネル３０における中央部（点火ボタン１１，１４近傍）に設けられている。係止部３８Ａを化粧パネル３０の中央部に設ける構成では、これと係合する第１被係止部２９Ａを前面パネル２０の前面２０Ａの中央部に設ける必要があるが、前面２０Ａの中央部は第１被係止部２９Ａを設けるためのスペースの確保が難しく、第１被係止部２９Ａの開口部を小さくせざるを得ないという事情がある。このため、第１被係止部２９Ａを化粧パネル３０の中央部に設ける構成では、上述したような係止部３８Ａの折れを回避するべく、係止部を第１被係止部２９Ａの位置により一層精度よく案内することが求められる。本実施例１では、中央側突出部３８Ｃが孔部２９Ｃに挿入されることに伴い係止部３８Ａが第１被係止部２９Ａの位置まで案内されるから、第１被係止部２９Ａの開口部が小さい場合であっても、係止部３８Ａが前面パネル２０の前面２０Ａに当たりにくくなっており、化粧パネル３０の組み付け性に優れる。さらに、本実施例１では、係止部３８Ａより中央側突出部３８Ｃの突出量が大きく、化粧パネル３０の中央部に設けられた係止部３８Ａが第１被係止部２９Ａ，２９Ｂの開口部へ挿入される前に、係止部３８Ａが第１被係止部２９Ａの位置まで案内されるから、特に好ましい。
【００５１】
また、中央側突出部３８Ｃが孔部２９Ｃの挿入されるに伴い、右側リブ３２及び左側リブ３６が前面パネル２０の左右方向外側に嵌り込んで、前面パネル２０に対する化粧パネル３０の左右方向の位置ずれを抑制する。そのうえで、第１凸部３２Ａ，３７Ａ及び第２凸部３２Ｂ，３７Ｂは、化粧パネル３０の外縁付近において前面パネル２０に対する化粧パネル３０の前後方向の移動を規制する。また、第３凸部３２Ｃ，３７Ｃの外周面が第３切り欠き部２７Ｃ，２８Ｃの内壁面と対向して、化粧パネル３０の上下方向への移動を規制する。
【００５２】
以上のようにして、化粧パネル３０は、前面パネル２０に対して上下左右への位置が規定されるとともに前方への変位が規制され、前面パネル２０に対して仮固定された状態となる。
【００５３】
続いて、化粧パネル３０が前面パネル２０に対して仮固定された状態で、ロック部材９０を第１位置から第２位置に変位させ、ロック部９２，９２の前側に前壁部９６，９６が位置する状態とする。この状態では、化粧パネル３０は、前面パネル２０に対する前方への変位が確実に規制され、化粧パネル３０が前面パネル２０に対して本固定された状態となる。以上により、化粧パネル３０の前面パネル２０に対する装着が完了する。
【００５４】
次に、本構成の効果を例示する。
上記構成のガスコンロ１では、ボタン部５０の周囲に隣接する意匠部が化粧パネル３０によって構成されるから、意匠部をすっきりとしたデザインとすることができ、ガスコンロ１の美観（特に、点火ボタン１１，１４周辺の美観）を向上することができる。しかも、点火ボタン１１，１４周辺の意匠は、単なる細長の延出部ではなく枠部４０によって構成されるため、化粧パネル３０の強度（特に操作ボタンの周辺の強度）が確実に高められる。ゆえに、化粧パネル３０における点火ボタン１１，１４の周辺の部位が経年変化やガスコンロ１内で発生する熱の影響等によって変形することを、より確実に抑えることができる。以下、意匠部の一部を前面パネル２０によって構成する場合を比較例として、本実施例１の有利な効果を具体的に説明する。
【００５５】
比較例では、ボタン部５０の左側又は右側に隣接する意匠部を、前面パネル２０の上下方向に沿って延びる長手状の部分によって構成することが考えられる。以下、前面パネル２０の当該部分を第１縦ライン部と称する。そして、意匠部における前面パネル２０の第１縦ライン部に対してボタン部５０とは反対側に位置する部分を、化粧パネル３０の上下方向に沿って延びる長手状の部分によって構成することが考えられる。以下、化粧パネル３０の当該部分を第２縦ライン部と称する。このような比較例では、ガスコンロの外観において、前面パネル２０の第１縦ライン部と、化粧パネル３０の第２縦ライン部と、第１縦ライン部と第２縦ライン部の境界線が、それぞれ上下に延びるライン状に視認され得る。ガスコンロの外観において、このようなライン状に視認され得る部位が複数の並んで配されると、やや煩雑な印象を与えガスコンロの外観を損なう一因となる。しかし、本実施例１では、ボタン部５０の周囲に隣接する意匠部が化粧パネル３０の枠部４０によって構成されるから、比較例の構成に比べて、ガスコンロ１の外観に表れてライン状に視認され得る部位の数を低減することができる。この結果、意匠部をすっきりとしたデザインとすることができ、ガスコンロ１の美観を向上することができる。
【００５６】
また、ガスコンロ１の外観に表れてライン状に視認され得る部位の数を低減するための構成として、化粧パネルが第１延出部４１と第２延出部４２に相当する部分を備えて、これらを連結する連結部を有しない構成とすることも考えられる。しかし、そのような構成では、第１延出部４１と第２延出部４２に相当する部分が本体部から片持ち状に延出することになり、経年変化により化粧パネルに歪み等の変形を生じる虞がある。このような歪み等の変形は、化粧パネルと前面パネルとの位置ずれの一因となる。しかし、本実施例１では、化粧パネル３０が第１延出部４１及び第２延出部４２にそれぞれ連結される連結部４６を有することにより、第１延出部４１と第２延出部４２に相当する部分が片持ち状に延出する化粧パネルに比べて化粧パネル３０の強度を高くすることができる。この結果、化粧パネル３０の強度を確保することができ、化粧パネル３０と前面パネル２０との位置ずれを抑制することができる。
【００５７】
本実施例１において、連結部４６は、被押圧部５３が第１位置にあるときに自身の上面４７Ａが当該被押圧部５３に対向するように配される対向部４７を有し、対向部４７の上面４７Ａは、後方となるにつれて下位置となるように傾斜している。この構成によれば、被押圧部５３の前面側の部位と連結部４６の前面側の部位との隙間を小さくしても、被押圧部５３が第１位置と第２位置とに変位する際に対向部４７の上面４７Ａと干渉しにくくなる。従って、点火ボタン１１，１４周辺を前方側から見たときに被押圧部５３と連結部４６との間の隙間が大きく見えすぎることに起因する美観の低下を抑制しながらも、被押圧部５３の操作性を良好に維持しやすくなる。
【００５８】
第１延出部４１及び第２延出部４２のうち少なくとも一方は、前面パネル２０の前面２０Ａより左右方向に張り出している。第１延出部４１又は第２延出部４２において前面パネル２０の前面２０Ａより左右方向に張り出した部分は、前面パネル２０によって後方から支持されず、後方に向けて撓み変形しやすい部位となる。しかし、本実施例１では、点火ボタン１１，１４周辺の意匠部が枠部４０によって構成されるため、第１延出部４１又は第２延出部４２が前面パネル２０の前面２０Ａより左右方向に張り出す構成であっても、化粧パネル３０の強度を確保することができる。また、第１延出部４１又は第２延出部４２が前面パネル２０の前面２０Ａより左右方向に張り出す場合、ボタン部５０の左側と右側に隣接する意匠部を前面パネル２０によって構成すると、前面パネル２０と化粧パネル３０における左右方向に張り出した部分との間に上下方向に沿って延びる境界線を生じる。しかし、本実施例１では、ボタン部５０の周囲に隣接する意匠部が化粧パネル３０の枠部４０によって構成されるから、第１延出部４１又は第２延出部４２が前面パネル２０の前面２０Ａより左右方向に張り出す場合であっても、前面パネル２０と化粧パネル３０との間に上下方向に沿って延びる境界線を生じないようにすることができる。この結果、意匠部をすっきりとしたデザインとすることができ、ガスコンロ１の美観を向上することができる。
【００５９】
ボタン部５０は、左右方向に沿って延びるとともに前方に突出する形状をなす第１突出部５１を有し、第１延出部４１及び第２延出部４２は、第１突出部の左側又は右側に連なるとともに前方に突出する形状をなす第２突出部４１Ａ，４２Ａを有する。この構成によれば、第１突出部５１と第２突出部４１Ａ，４２Ａとによりガスコンロ１の左右方向に延びる突条のデザインを構成することができ、デザイン性の高いガスコンロ１となる。そのうえで、ボタン部５０の周囲に隣接する意匠部が化粧パネル３０の枠部４０によって構成されるから、このような突条のデザインを縦に横切るライン状に視認される部位の本数が低減され、より一層、ガスコンロ１の美観を向上することができる。
【００６０】
本体部３１には、貫通孔４０Ａ寄りの位置に前面パネル２０に係止される係止部３８Ａが設けられている。このため、係止部３８Ａが前面パネル２０に係止されることにより、経年変化やコンロ内で発生する熱の影響等によって、化粧パネル３０の中央部付近が前方に膨出するようにして変形することを抑えることができる。
【００６１】
連結部４６には、前面パネル２０に係止される係止部３８Ｂが設けられている。このため、係止部３８Ｂが前面パネル２０に係止されることにより、経年変化やコンロ内で発生する熱の影響等によって、連結部４６が変形することを抑えることができる。さらに、連結部４６が撓みにくくなり、化粧パネル３０の強度（特に操作ボタンの周辺の強度）が確実に高められる。
【００６２】
＜他の実施例＞
本発明は上記記述及び図面によって説明した実施例に限定されるものではなく、例えば次のような例も本発明の技術的範囲に含まれる。
【００６３】
上述した実施例では、フロント部材が前面パネル２０によって構成されるものを例示したが、フロント部材の構成はこれに限られない。また、フロント部材は、筐体部２の前部におけるグリル部８の右側の領域の一部のみを塞ぐようにして配置されていてもよい。
【００６４】
上述した実施例以外にも、第１延出部４１及び第２延出部４２の形状、配置、構成は適宜変更可能である。例えば、第２延出部４２は第２張出部４３を有していなくてもよい。また、第２延出部４２には、第３張出部４５が設けられていなくてもよい。また、本体部３１の下縁部３１Ｂから第１延出部４１及び第２延出部４２が延出する位置、第１延出部４１と第２延出部４２に連結部４６が連結する位置は適宜変更可能である。
【００６５】
上述した実施例では、対向部４７の上面４７Ａが後方となるにつれて下位置となるように傾斜する構成を例示したが、これに限られない。例えば、対向部の前後方向における幅寸法が十分に小さい場合には、上面が傾斜する構成でなくても構わない。
【００６６】
上述した実施例では、第１延出部４１と第２延出部４２の双方が、第１突出部５１の左側及び右側に連なるとともに前方に突出する形状をなす第２突出部４１Ａ，４２Ａをそれぞれ有する構成を例示したが、これに限られない。例えば、第１延出部４１と第２延出部４２のうち一方のみが、第２突出部を有する構成であってもよく、第１延出部４１と第２延出部４２の双方が突出形状を有しない平板状に構成されていてもよい。
【００６７】
上述した実施例では、ボタン部５０が点火ボタン１１と点火ボタン１４からなる構成を例示したがこれに限られない。例えば、ボタン部は３以上の操作ボタンからなる構成であってもよい。また、上述した実施例以外にも、点火ボタン１１，１４の形状、配置、被押圧部５３の変位に係る構成等は適宜変更可能である。
【００６８】
上述した実施例のガスコンロ１はビルトインコンロであるが、テーブルコンロ等であってもよい。
【符号の説明】
【００６９】
１…ガスコンロ
２…筐体部
４，５，６…ガスバーナ
１１，１４…点火ボタン（操作ボタン）
２０…前面パネル（フロント部材）
２０Ａ…前面
３０…化粧パネル
３１…本体部
３１Ｂ…下縁部
３８Ａ…係止部
３８Ｂ…係止部
４０…枠部
４０Ａ…貫通孔
４１…第１延出部
４１Ａ，４２Ａ…第２突出部
４２…第２延出部
４６…連結部
４７…対向部
４７Ａ…上面
５０…ボタン部
５１…第１突出部
５３…被押圧部
５３Ｂ…下端部
６１…揺動軸
【図１】
2020070992.tif 000003
【図２】
2020070992.tif 000004
【図３】
2020070992.tif 000005
【図４】
2020070992.tif 000006
【図５】
2020070992.tif 000007
【図６】
2020070992.tif 000008
【図７】
2020070992.tif 000009
【図８】
2020070992.tif 000010
【図９】
2020070992.tif 000011
【図１０】
2020070992.tif 000012